(57)【特許請求の範囲】
【請求項１】
二次電池と太陽電池とのうち少なくとも二次電池で構成される直流電力供給源と、
直流電力供給源から供給された電力を用いて複数の機器へ電力を供給する給電手段と、
直流電力供給源が供給可能な電力量を検知する電力許容量検知手段と、
各機器の消費電力の情報を記憶する電力情報記憶手段と、
直流電力供給源の電力許容量と各機器の消費電力の情報とに基づいて直流電力供給源の電力許容量で動作可能な１乃至複数の機器を選択する機器選択手段と、
使用する機器をユーザに決定させるために機器選択手段の前記選択結果を表示する表示手段と
を備える
ことを特徴とする配電システム。
【請求項２】
直流電力供給源は、二次電池のみであり、
前記電力許容量検知手段は、二次電池の残容量を検知し、
前記機器選択手段は、二次電池の残容量と各機器の消費電力の情報とに基づいて二次電池の残容量で動作可能な１乃至複数の機器を選択する
ことを特徴とする請求項１記載の配電システム。
【請求項３】
直流電力供給源は、二次電池および太陽電池であり、
前記電力許容量検知手段は、二次電池の残容量および太陽電池の発電電力を検知し、
前記機器選択手段は、二次電池の残容量および太陽電池の発電電力の和と各機器の消費電力の情報とに基づいて二次電池の残容量および太陽電池の発電電力で動作可能な１乃至複数の機器を選択する
ことを特徴とする請求項１記載の配電システム。
【請求項４】
前記機器選択手段は、直流電力供給源の電力許容量で単体の動作が可能な機器を選択することを特徴とする請求項１乃至３いずれか記載の配電システム。
【請求項５】
前記表示手段は、前記機器選択手段が選択した機器を、消費電力が大きい順に表示することを特徴とする請求項４記載の配電システム。
【請求項６】
ユーザが複数の機器を指定する操作手段を備え、
前記機器選択手段は、操作手段で指定された複数の機器から、直流電力供給源の電力許容量で動作が可能な機器の組み合わせを選択することを特徴とする請求項１乃至３いずれか記載の配電システム。
【請求項７】
前記機器選択手段は、直流電力供給源の電力許容量で動作が可能な機器の組み合わせを全て選択することを特徴とする請求項６記載の配電システム。
【請求項８】
前記機器選択手段は、直流電力供給源の電力許容量で動作が可能な機器の組み合わせのうち、組み合わされた機器の消費電力の合計が最大となる組み合わせを選択することを特徴とする請求項６記載の配電システム。
【請求項９】
前記機器選択手段が直流電力供給源の電力許容量で動作が可能な機器に選択しなかった機器に対して、商用電源の深夜電力を用いて動作させることを提案する内容を前記表示手段に表示させる手段を備えることを特徴とする請求項６乃至８いずれか記載の配電システム。
【請求項１０】
前記電力情報記憶手段に記憶された各機器の消費電力の情報は、各機器が動作時に消費した電力の履歴に基づいて生成された情報であることを特徴とする請求項１乃至９いずれか記載の配電システム。
【発明の詳細な説明】
【技術分野】
【０００１】
本発明は、配電システムに関するものである。
【背景技術】
【０００２】
昼間の太陽光によって発電を行う太陽電池、商用電源や太陽電池等の分散電源によって充電される二次電池等の直流電力供給源を備えて、直流電力供給源の直流電力と商用電源とを併用して宅内の機器を動作させる配電システムがある（例えば、特許文献１参照）。
【先行技術文献】
【特許文献】
【０００３】
【特許文献１】特開２００９−１７８０２５号公報
【発明の概要】
【発明が解決しようとする課題】
【０００４】
このような配電システムにおいて、機器への電力供給源として、商用電源の深夜電力や、太陽電池等の分散電源の余剰電力によって充電された二次電池を使用したほうが、経済的となる場合がある。例えば、商用電源の料金単価の安い深夜電力や太陽電池の発電電力を用いて低コストで二次電池を充電し、この二次電池の充電電力を用いて機器を動作させることで、電気料金を低減できる。また、昼間は、二次電池と太陽電池を併用して機器を動作させることで、電気料金をさらに低減できる。
【０００５】
しかし、二次電池の残容量や太陽電池の発電量は変動しており、機器の消費電力によっては、直流電力供給源だけでは動作不可能になる。このような場合、商用電源を併用して機器を動作させなければならず、昼間等のように商用電源の料金単価が高い場合はコストが高くなり、経済的ではなかった。また、宅内のユーザは、直流電力供給源の現在の残容量で動作可能な機器を判別することができず、直流電力供給源の電力を用いて効率的に機器を動作させることが困難であった。
【０００６】
本発明は、上記事由に鑑みてなされたものであり、その目的は、機器動作時に直流電力供給源の電力を効率的、且つ経済的に使用可能な配電システムを提供することにある。
【課題を解決するための手段】
【０００７】
請求項１の発明は、二次電池と太陽電池とのうち少なくとも二次電池で構成される直流電力供給源と、直流電力供給源から供給された電力を用いて複数の機器へ電力を供給する給電手段と、直流電力供給源が供給可能な電力量を検知する電力許容量検知手段と、各機器の消費電力の情報を記憶する電力情報記憶手段と、直流電力供給源の電力許容量と各機器の消費電力の情報とに基づいて直流電力供給源の電力許容量で動作可能な１乃至複数の機器を選択する機器選択手段と、使用する機器をユーザに決定させるために機器選択手段の前記選択結果を表示する表示手段とを備えることを特徴とする。
【０００８】
この発明によれば、直流電力供給源で動作可能な機器の選択結果をユーザが参照して、使用する機器を決定することによって、商用電源からの供給電力をできるだけ用いずに、直流電力供給源の電力を有効利用することが可能となり、機器動作時に直流電力供給源の電力を効率的、且つ経済的に使用できる。
【０００９】
請求項２の発明は、請求項１において、直流電力供給源は、二次電池のみであり、前記電力許容量検知手段は、二次電池の残容量を検知し、前記機器選択手段は、二次電池の残容量と各機器の消費電力の情報とに基づいて二次電池の残容量で動作可能な１乃至複数の機器を選択することを特徴とする。
【００１０】
この発明によれば、二次電池の残容量で動作可能な機器の選択結果をユーザが参照して、使用する機器を決定することによって、商用電源からの供給電力をできるだけ用いずに、二次電池の充電電力を有効利用することが可能となり、機器動作時に二次電池の充電電力を効率的、且つ経済的に使用できる。
【００１１】
請求項３の発明は、請求項１において、直流電力供給源は、二次電池および太陽電池であり、前記電力許容量検知手段は、二次電池の残容量および太陽電池の発電電力を検知し、前記機器選択手段は、二次電池の残容量および太陽電池の発電電力の和と各機器の消費電力の情報とに基づいて二次電池の残容量および太陽電池の発電電力で動作可能な１乃至複数の機器を選択することを特徴とする。
【００１２】
この発明によれば、二次電池の残容量および太陽電池の発電電力で動作可能な機器の選択結果をユーザが参照して、使用する機器を決定することによって、商用電源からの供給電力をできるだけ用いずに、二次電池の充電電力および太陽電池の発電電力を有効利用することが可能となり、機器動作時に二次電池の充電電力および太陽電池の発電電力を効率的、且つ経済的に使用できる。
【００１３】
請求項４の発明は、請求項１乃至３いずれかにおいて、前記機器選択手段は、直流電力供給源の電力許容量で単体の動作が可能な機器を選択することを特徴とする。
【００１４】
この発明によれば、ユーザが直流電力供給源で動作可能な機器の選択結果を参照して、直流電力供給源で使用可能か否かを機器単体毎に判定し、使用する機器を決定することができる。
【００１５】
請求項５の発明は、請求項４において、前記表示手段は、前記機器選択手段が選択した機器を、消費電力が大きい順に表示することを特徴とする。
【００１６】
この発明によれば、ユーザは、リストの先頭に位置する機器が、直流電力供給源で効率的に使用できる機器であると容易に認識できる。
【００１７】
請求項６の発明は、請求項１乃至３いずれかにおいて、ユーザが複数の機器を指定する操作手段を備え、前記機器選択手段は、操作手段で指定された複数の機器から、直流電力供給源の電力許容量で動作が可能な機器の組み合わせを選択することを特徴とする。
【００１８】
この発明によれば、直流電力供給源で動作可能な機器の組み合わせの選択結果を参照すれば、ユーザは使用する機器の組み合わせを考える必要がなく、使い勝手が向上する。
【００１９】
請求項７の発明は、請求項６において、前記機器選択手段は、直流電力供給源の電力許容量で動作が可能な機器の組み合わせを全て選択することを特徴とする。
【００２０】
この発明によれば、ユーザは、直流電力供給源で動作が可能な機器の組み合わせを全て参照することによって、使用する機器を決定する際の選択肢が増える。
【００２１】
請求項８の発明は、請求項６において、前記機器選択手段は、直流電力供給源で動作が可能な機器の組み合わせのうち、組み合わされた機器の消費電力の合計が最大となる組み合わせを選択することを特徴とする。
【００２２】
この発明によれば、直流電力供給源を最大限有効利用することが可能となる。
【００２３】
請求項９の発明は、請求項６乃至８いずれかにおいて、前記機器選択手段が直流電力供給源の電力許容量で動作が可能な機器に選択しなかった機器に対して、商用電源の深夜電力を用いて動作させることを提案する内容を前記表示手段に表示させる手段を備えることを特徴とする。
【００２４】
この発明によれば、選択されなかった機器を使用するにあたってのアドバイスも表示され、ユーザにとってより使い勝手のよいものとなる。
【００２５】
請求項１０の発明は、請求項１乃至９いずれかにおいて、前記電力情報記憶手段に記憶された各機器の消費電力の情報は、各機器が動作時に消費した電力の履歴に基づいて生成された情報であることを特徴とする。
【００２６】
この発明によれば、電力情報記憶手段には、機器の実際の動作に基づいて算出された消費電力情報が格納されており、機器選択手段による機器選択の精度が向上する。
【発明の効果】
【００２７】
以上説明したように、本発明では、機器動作時に直流電力供給源の電力を効率的、且つ経済的に使用することができるという効果がある。
【図面の簡単な説明】
【００２８】
【図１】実施形態１の配電システムの構成を示す図である。
【図２】同上の動作フローチャートを示す図である。
【図３】同上の機器テーブルを示す図である。
【図４】同上のリスト表示を示す図である。
【図５】同上の別のリスト表示を示す図である。
【図６】実施形態２の動作フローチャートを示す図である。
【図７】同上の使用予定機器リストを示す図である。
【図８】同上のリスト表示を示す図である。
【図９】実施形態３の配電システムの構成を示す図である。
【発明を実施するための形態】
【００２９】
以下、本発明の実施の形態を図面に基づいて説明する。
【００３０】
（実施形態１）
本実施形態の配電システムは、主として住宅において用いるものであり、図１に示すように、交流電力により駆動される交流機器Ｌａに給電する交流給電路Ｗａが接続される交流分電盤１と、直流電力により駆動される直流機器Ｌｄに給電する直流給電路Ｗｄが接続される直流分電盤２とを備える。また、本システムの電力供給源としては、交流電力供給源［商用電源ＡＣ］、直流電力供給源［太陽電池３、二次電池５］が用いられる。なお、交流機器Ｌａと直流機器Ｌｄとを区別しないときは、機器Ｌと称す。
【００３１】
交流給電路Ｗａが接続される交流分電盤１は、商用電源ＡＣ、および分散電源である太陽電池３からパワーコンディショナ４を介して交流電力を供給されており、図示しない主幹ブレーカおよび複数の分岐ブレーカ、開閉器等を盤内に内蔵して、分岐ブレーカの負荷側にて複数系統に分岐した交流給電路Ｗａおよび交流接続路Ｗ１に交流電力を供給している。なお、パワーコンディショナ４は、太陽電池３が発電した直流電力を交流電力に変換し、さらに商用電源ＡＣと系統連系が可能となるように出力周波数および出力電圧を調節する機能を有している。
【００３２】
一方、直流給電路Ｗｄが接続される直流分電盤２は、交流分電盤１から交流接続路Ｗ１を介して交流電力を供給され、交流電力を所望の電圧の直流電力に変換するコンバータ２ａを備える。コンバータ２ａはＡＣ−ＤＣ変換装置であって、コンバータ２ａの出力が、盤内に内蔵した図示しない複数のサーキットプロテクタ、開閉器等を介して複数系統の直流給電路ＷＬｄに供給される。
【００３３】
さらに直流分電盤２内には、コンバータ２ａの出力と二次電池５との間に接続されて、二次電池５の充放電を行う充放電器２ｂが内蔵されている。この充放電器２ｂによる充電制御は、コンバータ２ａが直流給電路Ｗｄに供給する直流電力から余剰電力分が二次電池５に充電される。そして、二次電池５の出力電圧は充放電器２ｂにより調節され、コンバータ２ａの出力とともに直流給電路Ｗｄに供給される。
【００３４】
上記のようにコンバータ２ａおよび二次電池５から出力される直流電力は、直流接続路Ｗ２を介してインバータ６にも供給される。インバータ６は、商用電源ＡＣと系統連系が可能となるように出力周波数および出力電圧を調節する機能を有するＤＣ−ＡＣ変換装置であり、直流電力を交流電力に変換し、交流分電盤１内の分岐ブレーカを介して交流給電路Ｗａに交流電力を供給する。
【００３５】
上述の構成から明らかなように、交流分電盤１からは直流分電盤２に対して交流電力を供給することが可能であり、この交流電力をコンバータ２ａによって直流電力に変換して直流給電路Ｗｄに直流電力を供給することが可能になっている。逆に、直流分電盤２から交流分電盤１に対しては直流電力を供給することが可能であり、この直流電力をインバータ６によって交流電力に変換して交流給電路Ｗａに交流電力を供給することも可能である。
【００３６】
このような配電システムは、商用電源ＡＣが交流電力供給源、太陽電池３、二次電池５が直流電力供給源となっており、交流分電盤１は、各電力供給源から供給された電力を用いて交流給電路Ｗａから複数の交流機器Ｌａへ交流電力を供給する交流給電手段を構成し、直流分電盤２は、各電力供給源から供給された電力を用いて直流給電路Ｗｄから複数の直流機器Ｌｄへ直流電力を供給する直流給電手段を構成している。
【００３７】
そして、制御装置７が、各電力供給源の状態に応じて主となる電力供給源を切り替える配電制御（各電力供給源からの出力比率を変動させる配電制御）を行っている。制御装置７は、商用電源ＡＣからの供給電力、太陽電池３の発電量、二次電池５の残容量、交流分電盤１から交流給電路Ｗａへ供給される交流電力、直流分電盤２から直流給電路Ｗｄへ供給される直流電力を監視している。そして、この監視結果に基づいて、コンバータ２ａ、充放電器２ｂ、インバータ６や、交流分電盤１および直流分電盤２に収納された開閉器等の制御を行い、交流分電盤１と直流分電盤２との間での電力授受を制御している。なお、主たる電力供給源とは、ある給電路への電力供給を１００％行っているものだけではなく、他の電力供給源に比べて給電路への電力供給を支配的に行っているものも含む。
【００３８】
以下では、制御装置７が二次電池５の充電電力のみを用いて各機器Ｌへ電力を供給するよう配電制御した場合について説明する。まず、二次電池５は、昼間における太陽電池３の発電電力、または料金単価の安い時間帯（例えば、２２時〜７時の時間帯）における商用電源ＡＣからの供給電力（深夜電力）によって、コンバータ２ａ、充放電器２ｂを介して充電される。そして、制御装置７は、商用電源ＡＣの料金単価が高い時間帯（例えば、７時〜２２時の時間帯）において、可能な限り二次電池５の充電電力のみを用いて各機器Ｌへ電力を供給するよう配電制御する。直流給電路Ｗｄ上の直流機器Ｌｄは、二次電池５の充電電力で動作し、さらに交流給電路Ｗａ上の交流機器Ｌａは、インバータ６を介して供給される二次電池５の充電電力によって動作する。この場合、二次電池５が主たる電力供給源となり、商用電源ＡＣからの電力供給量はゼロとなり、太陽電池３の全発電電力は、二次電池５を充電するために用いられる。
【００３９】
しかし、二次電池５の残容量が低減した場合や、消費電力の大きい機器Ｌを使用する場合は、二次電池５の残容量のみで機器Ｌの駆動が困難になるため、料金単価が高い昼間の時間帯でも商用電源ＡＣの供給電力を併用せざるを得ず、経済的ではなかった。
【００４０】
そこで、制御装置７は、残容量検知部７ａ（電力許容量検知手段）、電力情報記憶部７ｂ、機器選択部７ｃ、リスト作成部７ｄ、操作部７ｅを備えており、図２のフローチャートに示す動作を行うことによって、ユーザに対して現在の二次電池５の残容量（直流電力供給源の電力許容量）で使用可能な機器Ｌのリストを提示する。
【００４１】
まず、ユーザが操作部７ｅを操作して、リスト提示の要求操作を行うと（Ｓ１）、残容量検知部７ａが二次電池５の残容量（Ｗｈ）を検知する（Ｓ２）。そして、電力情報記憶部７ｂには、機器Ｌの各消費電力の情報が格納されており、この消費電力情報は図３に示すように、機器の名称、消費電力（Ｗ）、使用時間（分）、電力量（Ｗｈ）を対応させた機器テーブルＴＢで構成される。ここで、消費電力（Ｗ）、使用時間（分）、電力量（Ｗｈ）は、標準的な使い方における値である。次に機器選択部７ｃは、電力情報記憶部７ｂの機器テーブルＴＢを参照して（Ｓ３）、二次電池５の残容量を機器テーブルＴＢ内の各機器Ｌの消費電力量と比較し、二次電池５の残容量以下の消費電力量である機器Ｌを使用可能な機器として機器テーブルＴＢから選択する（Ｓ４）。このステップＳ４における機器選択処理では、機器テーブルＴＢ内の各機器Ｌを交流機器Ｌａまたは直流機器Ｌｄに分類しておくことで、交流機器Ｌａの消費電力量を二次電池５の残容量と比較する場合、インバータ６が二次電池５の充電電力をＤＣ−ＡＣ変換するときの変換効率も考慮することができ、機器Ｌの選択結果はより精度の高いものとなる。リスト作成部７ｄは、機器選択部７ｃが選択した機器Ｌを提示する使用可能機器リストを作成し（Ｓ５）、さらに機器選択部７ｃの選択から外れた機器Ｌを提示する使用不可能機器リストを作成する（Ｓ６）。そして、リスト作成部７ｄは、作成した使用可能機器リストおよび使用不可能機器リストを、二次電池５の残容量の情報とともに、制御装置７の近傍または制御装置７と一体に設けられた表示装置８へ出力する（Ｓ７）。
【００４２】
表示装置８は、図４に示すように、現在の二次電池５の残容量Ｘ１と、現在の二次電池５の残容量で使用可能な機器の名称と消費電力量とを対応させた使用可能機器リストＸ２と、現在の二次電池５の残容量で使用不可能な機器の名称と消費電力量とを対応させた使用不可能機器リストＸ３とを表示する。
【００４３】
このように、ユーザが使用可能機器リストＸ２を参照して、二次電池５の残容量で使用可能か否かを機器単体毎に判定し、使用する機器Ｌを決定することによって、料金単価が高い昼間の時間帯に商用電源ＡＣからの供給電力をできるだけ用いずに、二次電池５の充電電力を有効利用することが可能となり、機器Ｌの動作時に、二次電池５の充電電力を効率的、且つ経済的に使用できる。また、使用可能機器リストＸ２では、消費電力量の大きい順番で各機器Ｌが表示されており、ユーザは、リストの上方に位置する機器Ｌが、現在の二次電池５の残容量で効率的に使用できる機器であると容易に認識できる。
【００４４】
さらに、リスト作成部７ｄは、使用不可能機器リストＸ３に含まれる機器Ｌを使用するにあたっては、料金単価の安い商用電源ＡＣの深夜電力を用いて動作させることを提案する情報を作成して、表示装置８へ出力してもよく、図４に示すように使用不可能機器リストＸ３の近傍にその提案内容Ｘ４が表示される。
【００４５】
または、制御装置７にインターネット等のネットワークに接続する手段を設けて、インターネット上のサーバから天気予報の情報を取得し、リスト作成部７ｄは、使用不可能機器リストに含まれる洗濯機を使用するにあたって、天気予報が晴れと予報している明日に使用することを提案する情報を作成して、表示装置８へ出力してもよく、図５に示すように使用不可能機器リストＸ３の近傍にその提案内容Ｘ５が表示される。
【００４６】
したがって、提案内容Ｘ４，Ｘ５によって、使用不可能機器リストＸ３に含まれる機器Ｌを使用するにあたってのアドバイスも表示され、ユーザにとってより使い勝手のよいものとなる。
【００４７】
さらに、制御装置７は、商用電源ＡＣの停電時に二次電池５の充電電力のみを用いて各機器Ｌへ電力を供給するよう配電制御し、表示装置８は、上記同様に現在の二次電池５の残容量Ｘ１と、使用可能機器リストＸ２と、使用不可能機器リストＸ３とを表示する。したがって、停電時にも二次電池５の充電電力を有効利用することが可能となる。
【００４８】
なお、制御装置７が行う配電制御は、上記のように二次電池５の充電電力のみを用いて各機器Ｌへ電力を供給するモード以外に、商用電源ＡＣを主たる電力供給源として各機器Ｌへ電力を供給するモードや、商用電源ＡＣ、太陽電池３、二次電池５を併用して各機器Ｌへ電力を供給するモード等があり、各電力供給源の状態や時刻等によって、適宜切り替えられる。
【００４９】
（実施形態２）
本実施形態の配電システムは、実施形態１と同様に図１に示され、同様の構成には同一の符号を付して説明は省略する。
【００５０】
まず、制御装置７は、商用電源ＡＣの料金単価が高い時間帯（例えば、７時〜２２時の時間帯）において、可能な限り二次電池５の充電電力のみを用いて各機器Ｌへ電力を供給するよう配電制御し、図６のフローチャートに示す動作を行うことによって、ユーザに対して現在の二次電池５の残容量（直流電力供給源の電力許容量）で使用可能な機器Ｌの組み合わせを提示するリストを作成する。
【００５１】
まず、ユーザが操作部７ｅを操作して、リスト提示の要求操作を行うと、使用予定の機器リストの情報が、制御装置７の近傍または制御装置７と一体に設けられた表示装置８へ出力される（Ｓ１１）。表示装置８では、図７に示すように、機器名称と消費電力量とチェックボックスとを対応付けた使用予定機器リストＸ１０を表示し、ユーザは今から使用したい１乃至複数の機器Ｌに対応するチェックボックスにチェック記号を入れて、使用予定機器を指定し、指定結果を制御装置７へ出力する（Ｓ１２）。
【００５２】
使用予定機器の指定結果を受け取った制御装置７では、残容量検知部７ａが二次電池５の残容量（Ｗｈ）を検知する（Ｓ１３）。そして、電力情報記憶部７ｂには、機器Ｌの各消費電力の情報が格納されており、この消費電力情報は図３に示すように、機器の名称、消費電力（Ｗ）、使用時間（分）、電力量（Ｗｈ）を対応させた機器テーブルＴＢで構成される。ここで、消費電力（Ｗ）、使用時間（分）、電力量（Ｗｈ）は、標準的な使い方における値である。
【００５３】
次に機器選択部７ｃは、使用予定機器の組み合わせパターンをすべて導出した上で、電力情報記憶部７ｂの機器テーブルＴＢを参照して（Ｓ１４）、二次電池５の残容量を、使用予定機器の組み合わせ毎の消費電力量（組み合わせた機器Ｌの消費電力量の合計）と比較し、二次電池５の残容量以下の消費電力量である機器Ｌの組み合わせを抽出し、当該抽出した組み合わせの中から消費電力量が最も大きい組み合わせを選択する（Ｓ１５）。例えば、二次電池５の残容量が１０００Ｗｈであり、使用予定機器として、食器洗浄機、炊飯器、ズボンプレッサー、ドライヤ、携帯電話の充電器の５つを選択した場合、５つの機器Ｌから１乃至５つの機器を抽出して組み合わせたパターン（５つの機器の組み合わせパターン）は３１通りある。そして、この３１通りの組み合わせのうち、組み合わせた機器Ｌの消費電力量の合計が１０００Ｗｈ以下で且つ最大となる組み合わせとして、食器洗浄機：９００Ｗｈ、ズボンプレッサー：７５Ｗ、携帯電話の充電器：１５Ｗ（消費電力量の合計９９０Ｗｈ）が抽出され、組み合わせから外れた使用予定の機器Ｌとして炊飯器、ドライヤが残る。
【００５４】
リスト作成部７ｄは、機器選択部７ｃが選択した機器Ｌの組み合わせを提示する使用可能機器リストを作成し（Ｓ１６）、さらに機器選択部７ｃが選択した機器の組み合わせから外れた機器Ｌを提示する使用不可能機器リストを作成する（Ｓ１７）。そして、リスト作成部７ｄは、作成した使用可能機器リストおよび使用不可能機器リストを、二次電池５の残容量の情報とともに表示装置８へ出力する（Ｓ１８）。
【００５５】
表示装置８は、図８に示すように、現在の二次電池５の残容量Ｘ１１と、現在の二次電池５の残容量で使用可能となるように組み合わされた機器の名称と消費電力量とを対応させた使用可能機器リストＸ１２と、機器選択部７ｃが選択した機器の組み合わせから外れた機器の名称と消費電力量とを対応させた使用不可能機器リストＸ１３とを表示する。
【００５６】
このように、使用可能機器リストＸ１２で推奨される機器Ｌの組み合わせをユーザが参照して使用する機器Ｌを決定することによって、料金単価が高い昼間の時間帯に商用電源ＡＣからの供給電力をできるだけ用いずに、二次電池５の充電電力を有効利用することが可能となり、機器Ｌの動作時に、二次電池５の充電電力を効率的、且つ経済的に使用できる。また、ユーザは使用する機器Ｌの組み合わせを考える必要がなく、使い勝手が向上する。
【００５７】
さらに、本実施形態では、二次電池５の残容量で使用可能な機器Ｌの組み合わせのうち、各機器Ｌの消費電力の合計が最大の組み合わせをユーザに提示するので、二次電池５の充電電力を最大限有効利用できる。さらに、使用可能機器リストＸ１２では、消費電力量の大きい順番で各機器Ｌが表示されており、ユーザは、リストの上方に位置する機器Ｌが、現在の二次電池５の残容量で効率的に使用できる機器であると容易に認識できる。
【００５８】
さらに、リスト作成部７ｄは、使用不可能機器リストＸ１３に含まれる機器Ｌを使用するにあたっては、料金単価の安い商用電源ＡＣの深夜電力を用いて動作させることを提案する情報を作成して、表示装置８へ出力してもよく、図８に示すように使用不可能機器リストＸ１３の近傍にその提案内容Ｘ１４が表示される。
【００５９】
したがって、提案内容Ｘ１４によって、使用不可能機器リストＸ３に含まれる機器Ｌを使用するにあたってのアドバイスも表示され、ユーザにとってより使い勝手のよいものとなる。また、制御装置７にインターネット等のネットワークに接続する手段を設けて、インターネット上のサーバから取得した情報に基づく提案内容を表示するようにしてもよい。
【００６０】
さらに、制御装置７は、商用電源ＡＣの停電時に二次電池５の充電電力のみを用いて各機器Ｌへ電力を供給するよう配電制御し、表示装置８は、上記同様に現在の二次電池５の残容量Ｘ１１と、使用可能機器リストＸ１２と、機使用不可能機器リストＸ１３とを表示する。したがって、停電時にも二次電池５の充電電力を有効利用することが可能となる。
【００６１】
また、機器選択部７ｃは、ステップＳ１５以降において、使用予定機器から二次電池５の残容量以下の消費電力量である機器Ｌの組み合わせを抽出し、当該抽出した組み合わせを全て選択してもよい。この場合、リスト作成部７ｄは、機器選択部７ｃが選択した機器Ｌの組み合わせを全て提示する使用可能機器リストを作成し、表示装置８においてリストを表示する。したがって、ユーザは、使用可能機器リストで推奨される機器Ｌの全ての組み合わせを参照することによって、使用する機器Ｌを決定する際の選択肢が増える。
【００６２】
（実施形態３）
本実施形態の配電システムは、図９に示され、実施形態１，２と同様の構成には同一の符号を付して説明は省略する。
【００６３】
本実施形態の制御装置は、電力履歴記憶部７ｆと、電力情報生成部７ｇとを備えている。電力履歴記憶部７ｆは、各機器Ｌから、実際に動作したときの消費電力量の情報（または消費電力の時間変化の情報）を取得して、各機器Ｌを１回動作させたときの消費電力量の履歴を記憶する。電力情報生成部７ｇは、電力履歴記憶部７ｆを参照して、各機器Ｌを１回動作させたときの消費電力量の平均値を算出し、この算出結果を電力情報記憶部７ｂに記憶させる。すなわち、電力情報記憶部７ｂには、機器Ｌの実際の動作に基づいて算出された消費電力情報が格納されており、機器選択部７ｃによる機器選択の精度が向上する。
【００６４】
また、電力情報生成部７ｇは、電力履歴記憶部７ｆを参照して、各機器Ｌを１回動作させたときの消費電力量の最大値を抽出し、この抽出結果を電力情報記憶部７ｂに記憶させてもよい。
【００６５】
（実施形態４）
実施形態１の配電システムでは、商用電源ＡＣの料金単価が高い時間帯（例えば、７時〜２２時の時間帯）や商用電源ＡＣの停電時に、制御装置７が二次電池５の充電電力のみを用いて各機器Ｌへ電力を供給するよう配電制御を行い、太陽電池３の全発電電力は二次電池５を充電するために用いられている。すなわち、使用される直流電力供給源は、二次電池５のみとなる。
【００６６】
一方、本実施形態の配電システムの構成は、実施形態１と同様であるが、商用電源ＡＣの料金単価が高い時間帯や商用電源ＡＣの停電時に、制御装置７が二次電池５の充電電力と太陽電池３の発電電力の両方を用いて各機器Ｌへ電力を供給するよう配電制御を行い、機器Ｌで消費されない余剰電力のみが二次電池５に充電される。すなわち、使用される直流電力供給源は、二次電池５と太陽電池３の両方となる。
【００６７】
まず、二次電池５は、主に料金単価の安い時間帯（例えば、２２時〜７時の時間帯）における商用電源ＡＣからの供給電力（深夜電力）によって、コンバータ２ａ、充放電器２ｂを介して充電される。そして、制御装置７は、商用電源ＡＣの料金単価が高い時間帯において、可能な限り二次電池５の充電電力および太陽電池３の発電電力を併用して各機器Ｌへ電力を供給するよう配電制御する。直流給電路Ｗｄ上の直流機器Ｌｄは、二次電池５の充電電力、およびパワーコンディショナ４、コンバータ２ａを介して供給される太陽電池３の発電電力の両方によって動作し、さらに交流給電路Ｗａ上の交流機器Ｌａは、インバータ６を介して供給される二次電池５の充電電力、およびパワーコンディショナ４を介して供給される太陽電池３の発電電力の両方によって動作する。この場合、二次電池５および太陽電池３が主たる電力供給源となり、商用電源ＡＣからの電力供給量はゼロとなり、太陽電池３の発電電力は、機器Ｌへ供給されない余剰電力のみが二次電池５を充電するために用いられる。
【００６８】
しかし、二次電池５の残容量が低減した場合や、太陽電池３の発電電力が低減した場合や、消費電力の大きい機器Ｌを使用する場合は、二次電池５の残容量および太陽電池３の発電電力のみで機器Ｌの駆動が困難になるため、料金単価が高い昼間の時間帯でも商用電源ＡＣの供給電力を併用せざるを得ず、経済的ではなかった。
【００６９】
そこで、制御装置７は、ユーザに対して現在の二次電池５の残容量および太陽電池３の発電電力（直流電力供給源の電力許容量）で使用可能な機器Ｌのリストを提示する。
【００７０】
まず、ユーザが操作部７ｅを操作して、リスト提示の要求操作を行うと、残容量検知部７ａが二次電池５の残容量（Ｗｈ）および太陽電池３の発電電力量（Ｗｈ）を検知する。次に機器選択部７ｃは、電力情報記憶部７ｂの機器テーブルＴＢを参照して、二次電池５の残容量と太陽電池３の発電電力量との和を機器テーブルＴＢ内の各機器Ｌの消費電力量と比較し、二次電池５の残容量と太陽電池３の発電電力量との和以下の消費電力量である機器Ｌを使用可能な機器として機器テーブルＴＢから選択する。この機器選択処理では、機器テーブルＴＢ内の各機器Ｌを交流機器Ｌａまたは直流機器Ｌｄに分類しておくことで、交流機器Ｌａの消費電力量を二次電池５の残容量と太陽電池３の発電電力量との和と比較する場合、コンバータ２ａ、パワーコンディショナ４、インバータ６の各変換効率も考慮することができ、機器Ｌの選択結果はより精度の高いものとなる。リスト作成部７ｄは、機器選択部７ｃが選択した機器Ｌを提示する使用可能機器リストを作成し、さらに機器選択部７ｃの選択から外れた機器Ｌを提示する使用不可能機器リストを作成する。そして、リスト作成部７ｄは、作成した使用可能機器リストおよび使用不可能機器リストを、二次電池５の残容量および太陽電池３の発電電力量の情報とともに、制御装置７の近傍または制御装置７と一体に設けられた表示装置８へ出力し、表示装置８は、各情報、各リストを表示する。
【００７１】
このように、本実施形態においても、ユーザが使用可能機器リストを参照して、使用する機器Ｌを決定することによって、料金単価が高い昼間の時間帯に商用電源ＡＣからの供給電力をできるだけ用いずに、二次電池５の充電電力および太陽電池３の発電電力を有効利用することが可能となり、機器Ｌの動作時に、二次電池５の充電電力および太陽電池３の発電電力を効率的、且つ経済的に使用できる。
【００７２】
さらに、制御装置７は、商用電源ＡＣの停電時に二次電池５の充電電力および太陽電池３の発電電力を用いて各機器Ｌへ電力を供給するよう配電制御し、表示装置８は、上記同様に現在の二次電池５の残容量および太陽電池３の発電電力量の情報と、使用可能機器リストと、使用不可能機器リストとを表示する。したがって、停電時にも二次電池５の充電電力および太陽電池３の発電電力を有効利用することが可能となる。
【００７３】
また、実施形態２，３においても本実施形態の構成を適用することで、上記同様の効果を得ることができる。
【００７４】
なお、上記実施形態１乃至４では、交流電力により駆動される交流機器Ｌａに給電する交流給電路Ｗａと、直流電力により駆動される直流機器Ｌｄに給電する直流給電路Ｗｄとの両方を備えた配電システムを例示しているが、交流給電路Ｗａと直流給電路Ｗｄのいずれか一方を備えた配電システムでも、上記同様に配電制御を行うことができる。
【符号の説明】
【００７５】
１  交流分電盤
２  直流分電盤
２ａ  コンバータ
２ｂ  充放電器
３  太陽電池
４  パワーコンディショナ
５  二次電池
６  インバータ
７  制御装置
７ａ  残容量検知部
７ｂ  電力情報記憶部
７ｃ  機器選択部
７ｄ  リスト作成部
７ｅ  操作部
８  表示装置
Ｗａ  交流給電路
Ｗｄ  直流給電路
Ｌａ  交流機器
Ｌｄ  直流機器
ＡＣ  商用電源
【図１】
0005513819.tif 000002
【図２】
0005513819.tif 000003
【図３】
0005513819.tif 000004
【図４】
0005513819.tif 000005
【図５】
0005513819.tif 000006
【図６】
0005513819.tif 000007
【図７】
0005513819.tif 000008
【図８】
0005513819.tif 000009
【図９】
0005513819.tif 000010